(57)【要約】【課題】  水栓機構に接続された各配管を覆う各カバー部材を取り外すことなく、修理または交換に際して水栓機構を随時取り外すことのできるユニットバス。【解決手段】  水栓（１）に接続されて上方へ延びる第１配管（５）を覆う上カバー（６）と、水栓に接続されて下方へ延びる第２配管（２，３）を覆う下カバー（４）と、水栓に接続されて横方向へ延びる第３配管（７）を覆うカウンター（８）と、上カバー、下カバーおよびカウンターに隣接して水栓を覆う水栓カバー（９）とを備えている。水栓カバーは、浴室壁面（Ｗ）に着脱自在に取り付けられた水栓カバー本体（１０）と、水栓カバー本体に形成された点検口を着脱自在に覆う点検カバー（１１）とを有する。水栓と第１乃至第３配管とは、水栓カバーが実質的に覆う空間において係脱自在に接続されている。【選択図】  図３
2006014746.tif 000002
【特許請求の範囲】
【請求項１】
水栓に接続されて上方へ延びる第１配管を覆う上カバーと、
前記水栓に接続されて下方へ延びる第２配管を覆う下カバーと、
前記水栓に接続されて横方向へ延びる第３配管を覆うカウンターと、
前記上カバー、前記下カバーおよび前記カウンターに隣接して前記水栓を覆う水栓カバーとを備え、
前記水栓カバーは、浴室壁面に着脱自在に取り付けられた水栓カバー本体と、該水栓カバー本体に形成された点検口を着脱自在に覆う点検カバーとを有し、
前記水栓と前記第１乃至第３配管とは、前記水栓カバーが実質的に覆う空間において係脱自在に接続されていることを特徴とするユニットバス。
【請求項２】
前記水栓と前記第１乃至第３配管とは、前記点検口からアクセス可能な位置において接続されていることを特徴とする請求項１に記載のユニットバス。
【発明の詳細な説明】
【技術分野】
【０００１】
本発明は、ユニットバスに関し、特に浴室壁面に取り付けられる水栓ユニットの構造に関するものである。
【背景技術】
【０００２】
ユニットバスの浴室壁面には、たとえば給水配管から吐水配管への給水や給水配管からシャワー配管への給水などを制御するための水栓ユニットが取り付けられている。従来の典型的な形態によれば、給水配管は下センターカバーにより覆われ、シャワー配管は上センターカバーにより覆われ、吐水配管はカウンターにより覆われている。
【０００３】
また、給水配管、吐水配管およびシャワー配管と係脱自在に接続された水栓機構（または、単に「水栓」という）は、水栓カバーにより覆われている。そして、水栓カバーは、上センターカバー、下センターカバーおよびカウンターにそれぞれ隣接するように設けられている。
【発明の開示】
【発明が解決しようとする課題】
【０００４】
上述したような従来の形態では、たとえば修理または交換のために水栓機構を取り外すには、上センターカバー、下センターカバーおよびカウンターをそれぞれ取り外した後に、給水配管、吐水配管およびシャワー配管と水栓機構との接続をそれぞれ解除する必要があった。
【０００５】
本発明は、前述の課題に鑑みてなされたものであり、水栓機構に接続された各配管を覆う各カバー部材を取り外すことなく、修理または交換に際して水栓機構を随時取り外すことのできるユニットバスを提供することを目的とする。
【課題を解決するための手段】
【０００６】
前記課題を解決するために、本発明では、水栓に接続されて上方へ延びる第１配管を覆う上カバーと、
前記水栓に接続されて下方へ延びる第２配管を覆う下カバーと、
前記水栓に接続されて横方向へ延びる第３配管を覆うカウンターと、
前記上カバー、前記下カバーおよび前記カウンターに隣接して前記水栓を覆う水栓カバーとを備え、
前記水栓カバーは、浴室壁面に着脱自在に取り付けられた水栓カバー本体と、該水栓カバー本体に形成された点検口を着脱自在に覆う点検カバーとを有し、
前記水栓と前記第１乃至第３配管とは、前記水栓カバーが実質的に覆う空間において係脱自在に接続されていることを特徴とするユニットバスを提供する。
【０００７】
本発明の好ましい態様によれば、前記水栓と前記第１乃至第３配管とは、前記点検口からアクセス可能な位置において接続されている。
【発明の効果】
【０００８】
本発明では、水栓機構（水栓）に接続されて上方へ延びるシャワー配管のような第１配管が上センターカバー（上カバー）により覆われ、水栓機構に接続されて下方へ延びる給水配管のような第２配管が下センターカバー（下カバー）により覆われ、水栓機構に接続されて横方向へ延びる吐水配管のような第３配管がカウンターにより覆われている。また、水栓機構を覆う水栓カバーが、上センターカバー、下センターカバーおよびカウンターに隣接するように設けられている。
【０００９】
そして、水栓カバーは、浴室壁面に着脱自在に取り付けられた水栓カバー本体と、この水栓カバー本体に形成された点検口を着脱自在に覆う点検カバーとを有する。さらに、シャワー配管、給水配管および吐水配管と水栓機構とは、水栓カバーが実質的に覆う空間において係脱自在に接続されている。
【００１０】
したがって、本発明では、水栓カバー本体から点検カバーを取り外し、点検口を利用してシャワー配管と水栓機構との接続、給水配管と水栓機構との接続、吐水配管と水栓機構との接続を順次解除した後、浴室壁面から水栓カバー本体を水栓機構とともに取り外すことができる。すなわち、本発明では、水栓機構に接続された各配管（シャワー配管、給水配管および吐水配管）を覆う各カバー部材（上センターカバー、下センターカバーおよびカウンター）を取り外すことなく、修理または交換に際して水栓機構を随時取り外すことができる。
【００１１】
なお、本発明では、シャワー配管、給水配管および吐水配管と水栓機構とは、点検口からアクセス可能な位置において接続されていることが好ましい。この構成により、シャワー配管と水栓機構との接続解除、給水配管と水栓機構との接続解除、吐水配管と水栓機構との接続解除を、点検口からアクセスして容易に且つ迅速に行うことができる。
【発明を実施するための最良の形態】
【００１２】
本発明の実施形態を、添付図面に基づいて説明する。
図１は、本発明の実施形態にかかるユニットバスにおいて浴室壁面に取り付けられた水栓ユニットおよびその周辺部の構成を概略的に示す図である。また、図２は、図１のユニットバスにおいて水栓ユニットを除く周辺部の構成を概略的に示す図である。また、図３は、図１の状態から点検カバーを取り外した状態を概略的に示す図である。
【００１３】
図１〜図３を参照すると、本実施形態のユニットバスにおいて、水栓機構（図面の明瞭化のために図２および図３において楕円状の破線で示す）１に接続されて下方へ延びる給水配管、すなわち常温水を供給する給水配管２および高温水を供給する給湯配管３が、浴室壁面Ｗに取り付けられた下センターカバー４により覆われている。また、水栓機構１に接続されて上方へ延びるシャワー配管５が、浴室壁面Ｗに取り付けられた上センターカバー６により覆われている。
【００１４】
さらに、水栓機構１に接続されて横方向（図中水平左側方向）へ延びる吐水配管７が、浴室壁面Ｗに取り付けられたカウンター８により覆われている。また、水栓機構１を覆う水栓カバー９が、下センターカバー４、上センターカバー６およびカウンター８に隣接するように設けられている。水栓カバー９は、たとえば複数のビス（不図示）により浴室壁面Ｗに着脱自在に取り付けられた水栓カバー本体１０と、水栓カバー本体１０に形成された点検口１０ａを着脱自在に覆う点検カバー１１とを有する。
【００１５】
給水配管２、給湯配管３、シャワー配管５および吐水配管７と水栓機構１とは、たとえば袋ナット２ａ、３ａ、５ａおよび７ａを介して、水栓カバー９が実質的に覆う空間において係脱自在に接続されている。なお、水栓カバー９には、給水配管（２，３）からシャワー配管５への給水経路の開閉操作を行うシャワー操作部（不図示）、および給水配管（２，３）から吐水配管８への給水経路の開閉操作を行う吐水操作部（不図示）が設けられている。
【００１６】
また、水栓カバー９には、給水配管２から供給される常温水と給湯配管３から供給される高温水とを混合して得られる湯水の温度を調節するための湯水温度調節部１２が設けられている。湯水温度調節部１２は、たとえば水平方向軸線廻りに回転可能な円柱状の形態を有する。このように、水栓機構１および水栓カバー９は水栓ユニットを構成し、給水配管（２，３）とシャワー配管５および吐水配管７との間に介在して、給水配管（２，３）からシャワー配管５への給水および給水配管（２，３）から吐水配管７への給水を制御している。
【００１７】
以上のように、本実施形態では、水栓カバー９が、浴室壁面Ｗに着脱自在に取り付けられた水栓カバー本体１０と、水栓カバー本体１０に形成された点検口１０ａを着脱自在に覆う点検カバー１１とを有する。また、給水配管（２，３）、シャワー配管５および吐水配管７と水栓機構１とは、水栓カバー９が実質的に覆う空間において袋ナット２ａ、３ａ、５ａおよび７ａを介して係脱自在に接続されている。さらに、給水配管（２，３）、シャワー配管５および吐水配管７と水栓機構１とは、点検口１０ａからアクセス可能な位置において接続されている。
【００１８】
したがって、本実施形態では、たとえば水栓機構１の修理または交換に際して、水栓カバー本体１０から点検カバー１１を取り外す。次いで、点検口１０ａからアクセスして、袋ナット２ａ、３ａ、５ａおよび７ａを順次緩めて外すことにより、給水配管２と水栓機構１との接続、給湯配管３と水栓機構１との接続、シャワー配管５と水栓機構１との接続、吐水配管７と水栓機構１との接続を順次解除する。
【００１９】
そして、水栓カバー本体１０を浴室壁面Ｗに固定している複数のビスを順次緩めて外すことにより、浴室壁面Ｗから水栓カバー本体１０を水栓機構１とともに取り外す。すなわち、本実施形態では、水栓機構１に接続された各配管（給水配管（２，３）、シャワー配管５および吐水配管７）を覆う各カバー部材（下センターカバー４、上センターカバー６およびカウンター８）を取り外すことなく、修理または交換に際して水栓機構１を随時取り外すことができる。
【００２０】
なお、本実施形態では、点検カバー１１が水栓カバー本体１０の前方面のほぼ全体を覆う形態を有するが、これに限定されることなく、水栓カバー本体１０の前方面を部分的に覆う形態を点検カバー１１に付与することもできる。この場合、たとえば点検カバー１１に２つの開口部を設け、これらの開口部に上述のシャワー操作部および吐水操作部を位置決めすることができる。
【図面の簡単な説明】
【００２１】
【図１】本発明の実施形態にかかるユニットバスにおいて浴室壁面に取り付けられた水栓ユニットおよびその周辺部の構成を概略的に示す図である。
【図２】図１のユニットバスにおいて水栓ユニットを除く周辺部の構成を概略的に示す図である。
【図３】図１の状態から点検カバーを取り外した状態を概略的に示す図である。
【符号の説明】
【００２２】
１  水栓機構（水栓）
２  給水配管
３  給湯配管
４  下センターカバー
５  シャワー配管
６  上センターカバー
７  吐水配管
８  カウンター
９  水栓カバー
１０  水栓カバー本体
１１  点検カバー
１２  湯水温度調節部
【図１】
2006014746.tif 000003
【図２】
2006014746.tif 000004
【図３】
2006014746.tif 000005